(57)【要約】      （修正有）【課題】複数個の小容量タンクを連結ホ−スを介して連結して貯水及び出水させることができる雨水貯水装置を提供する。【解決手段】屋根に降った雨水を、竪とい１の途中に取り付けた雨水取水継手２から取水ホース５を介して第１の小容量タンク６に取り込み、当該第１の小容量タンクと連結ホース８により数珠繋ぎに連結される第２の小容量タンク、第３の小容量タンクのごとく複数の小容量タンクにて貯水する方法において、第１の小容量タンクの上部に接続する取水ホース、第１の小容量タンクを除く他の小容量タンクの上部に取り付けられる空気孔ホース９、及び各小容量タンク間に当該タンク上部よりタンク内底部付近までサイホン状に挿入した連結ホース８と、により構成する。【選択図】図１
0003148793.tif 000002
【実用新案登録請求の範囲】
【請求項１】
屋根に降った雨水を竪といの途中に取り付けた雨水取水継手から取水ホ−スを介して第１小容量のタンクの上部に取り込み、当該第１の小容量タンクの上部からに差し込んだ連結ホ−スを介して当該連結ホ−スの出口を第２の小容量タンクの上部に装着しサイホン状に連結貯水する方法において、第２の小容量タンクの上部に空気孔を具備してなる雨水貯水方式。
【請求項２】
屋根に降った雨水を竪といの途中に取り付けた雨水取水継手を介して、雨水を第１の小容量タンクに取り込み、当該第１の小容量タンクの上部から連結ホ−スを介して第２の小容量タンクの上部で連結、第２の小容量タンクと第３の小容量タンクの上部で連結貯水する方法において当該連結ホ−スの高さが雨水取水接手の高さより下であることを特長とした雨水貯水方式。
【請求項３】
第２及び第３の小容量タンクの上部に空気孔を具備してなる雨水貯水器において、当該空気孔の出口の高さが雨水取水接手の高さより上であることを特長とした雨水貯水方式。
【考案の詳細な説明】
【技術分野】
【０００１】  この考案は、小容量のタンクを連結して必要な貯水量を得るための雨水貯水の方式に関するものである。
【背景技術】
【０００２】  雨水を貯蔵して利用する雨水貯水タンクは、すでに実用化されている。それらは、大型のタンク１個に貯水口と蛇口を具備しているものが多い。まれに、複数個の貯水タンクをタンクの下部を連結管で連結しているものもある。【０００３】  当該複数個の貯水タンクをタンクの下部で連結しているものにおいて、連結管が複数個の貯水タンクに連結固着しているため、据え付け時の位置調整が困難であり、且つ連結部の水密性を、完全に保つ必要があり構造が複雑で扱いにくく高価である欠点がある。
【考案の開示】
【考案が解決しようとする課題】
【０００４】  本考案は、市販の安価な部材を使用し据え付け自在で、水密性に優れた雨水貯水方式を提供することを目的にしている。
【課題を解決するための手段】
【考案の効果】
【０００５】  上記の目的を解決するために、屋根に降った雨水を竪といの途中に市販の雨水取水継手を取付け、当該雨水取水継手の内部に取水器を挿着する。当該取水器には、雨水を貯める第１の小容量タンクの上部へ配管する取水ホ−スが装着されていて、当該取水ホ−スは雨水取水継手に追加工した側面の穴から引き出される。【０００６】  雨水を貯める第１の小容量タンクは、市販のポリタンクで、上部に２個のキャップがある。当該キャップは、取水ホ−ス及び連結ホ−スを挿入するための穴が開けられている。また、側面下部には、貯水を取り出すための蛇口を装着している。【０００７】  第１の小容量タンクと第２の小容量タンク及び第２の小容量タンクと第３の小容量タンクは、連結ホ−スを介して接続されている。第１の小容量タンクの連結ホ−スの末端は、当該第１の小容量タンクの底面近くまで挿入されていて他端は、第２の小容量タンクの連結用キャップの小穴を介して第２の小容量タンクの底面近くまで挿入されている。同様に第２の小容量タンクと第３の小容量タン間も、連結ホ−スで連結されている。【０００８】  第１の小容量タンクへ取水が始まり、タンクの水位が上昇すると、当該タンク内の空気が取水用ホ−スを介して当該タンクの外へ排出されるため、当該タンクの空気圧が上昇することなく、取水を阻害することはない。【０００９】  第１の小容量タンクへ取水が進み、連結ホ−スを介して第２の小容量タンクへ注水が始まる。【００１０】  第２の小容量タンクへ注水が始まって当該第２の小容量タンクの水位が上がり、連結ホ−スの第２の小容量タンクの端末が水で閉鎖され、当該連結ホ−ス内に空気が閉じこめられる。【００１１】  さらに、注水が続くとやがて当該空気は第２の小容量タンク内に押し出され、連結ホ−ス内に気泡が無くなる。その瞬間サイホン作用により、第１の小容量タンクの水は、第２の小容量タンクへ流れ込み、第１及び第２の小容量タンクの水位は同一水位になる。さらに第１の小容量タンクへ取水を続けると、第１及び第２の小容量タンクの水位は同一水位を保ちながら貯水を続ける。【００１２】  第１及び第２の小容量タンクが満杯になると、第２の小容量タンクの注水と同様に第３の小容量タンクへ注水される。【００１３】  総ての小容量タンクが満杯になったとき、取水器は、取水しなくなり溢れた雨水は本来の竪といを介して、下水に流される。【００１４】  注水時のサイホン作用は、貯えられた雨水を蛇口から利用する場合も作用し、接続された小容量タンク総てが、同じ水位になるように放水され、貯えた雨水は有効に利用される。【００１５】  本考案は、以上のように、各小容量タンクを連結ホ−スで接続するのみで、タンクの底部を連結管で連結固着しているものと同様の効果がありながら、据え付け時の位置調整など必要なく、ホ−スの連結部がタンクの上部にあるため漏水が全くない優れた考案である。
なお、連結した最後の小容量タンクのキャップには、空気孔ホ−スを装着する。
【考案を実施するための最良の形態】
【００１６】  図１は、本考案に係る雨水貯水方式の一実施例説明図、図２は図１の取水器の一実施例説明図を示している。【００１７】  図１において、屋根に降った雨水が流れる既設の竪とい１の途中に市販の雨水取水継手２を装着する。当該雨水継手２の中に取水器３を装着し、竪とい１に流れる雨水を取り込む。
取水器３の側面にパイプ４を装着する。当該パイプ４に取水ホ−ス５を接続する。取水用ホ−ス５は、雨水取水継手２の側面の小穴を介して第１の小容量タンク６−１の入力キャップ７−１に接続され、雨水は当該小容量タンク６−１に注水する。【００１８】  雨水を貯める第１の小容量タンク６−１は、市販のポリタンクで、上部に２個のキャップ７−１、７−２がある。当該キャップは、取水ホ−ス５及び連結ホ−ス８−１を挿入するための穴が開けられている。また、小容量タンク６−１の側面下部には、雨水を取り出すための蛇口１０を装着している。【００１９】  第１の小容量タンク６−１と第２の小容量タンク６−２は、連結ホ−ス８−１を介して接続されている。第１の小容量タンク６−１の連結ホ−ス８−１の末端は、当該第１の小容量タンク６−１の底面に近くに挿入されていて他端は、第２の小容量タンク６−２の連結用キャップ７−３の小穴を介して第２の小容量タンク６−２の底面近くに挿入されている。
同様に、第２の小容量タンク６−２と第３の小容量タンク６−３が連結ホ−ス８−２で連結されている。【００２０】  取水器３の高さを図１で示すｈ２とすると、空気孔ホ−ス９−１、９−２の出口の高さは、それ以上のｈ３とする。また、連結ホ−ス８−１、８−２の高さｈ１は、取水器３の高さｈ２以下とする。【００２１】  第１の小容量タンク６−１への注水が進み、連結ホ−ス８−１を介して第２の小容量タンク６−２へ注水が始まる。当該第２の小容量タンク６−２へ注水が始まって当該第２の小容量タンク６−２の水位が上がり、連結ホ−ス８−１の第２の小容量タンク６−２の端末が水で閉鎖され、当該連結ホ−ス８−１内に空気が閉じこめられる。【００２２】  さらに、注水が続くとやがて当該空気は第２の小容量タンク６−２内に押し出され、連結ホ−ス８−１内に気泡が無くなる。その瞬間サイホン作用により、第１の小容量タンク６−１の水は、第２の小容量タンク６−２へ流れ込み、第１及び第２の小容量タンクの水位は同一水位になる。【００２３】  さらに、第１の小容量タンク６−１に注水が続くとサイホン効果により第２の小容量タンク６−２にも、注水され水位が上がる。【００２４】  第２の小容量タンク６−２の水位が上昇すると、当該タンク６−２の空気が空孔ホ−ス９−１を介して当該タンクの外へ排出されるため、当該タンクの空気圧が上昇することなく、注水を阻害することはない。【００２５】  第３の小容量タンク６−３を、第２の小容量タンク６−２と同様に接続すれば、第２の小容量タンク６−２の注水と同様に第３の小容量タンク６−３へ注水される。【００２６】  総ての小容量タンクが満杯になったとき、取水器３は、取水しなくなり溢れた雨水は本来の竪とい１を介して、下水道に流される。
【産業上の利用可能性】
【００２７】  以上説明した如く、本考案によれば、タンクの下部を加工しで連結固着することなく、市販の安価な水密性容器の上部のキャップを介して連結ホ−スで連結するため、連結部での漏水の恐れはなく、且つ据え付け時の位置調整が容易である。また、サイホン作用を利用しているので、注水及び出水が効率的に行える。図１は、タンクを３個連結した一実施例を図示したが、第４、第５のタンクを連結可能であることは言うまでもない。
【図面の簡単な説明】
【００２８】
【図１】  本考案に係わる雨水貯水方式の一実施例説明図である。
【図２】  図１の取水器の取付状態図である。
【符号の説明】
【００２９】  １  竪とい
２  雨水取水継手
３  取水器
４  パイプ
５  取水ホ−ス
６  小容量タンク
７  キャップ
８  連結ホ−ス
９  空気孔ホ−ス
１０  蛇口
【図１】
0003148793.tif 000003
【図２】
0003148793.tif 000004
【手続補正書】
【提出日】平成20年11月22日(2008.11.22)
【手続補正１】
【補正対象書類名】実用新案登録請求の範囲
【補正対象項目名】全文
【補正方法】変更
【補正の内容】
【実用新案登録請求の範囲】
【請求項１】
屋根に降った雨水を、竪といの途中に取り付けた雨水取水継手から取水ホースを介して第１の小容量タンクに取り込み、当該第１の小容量タンクと連結ホースにより数珠繋ぎに連結される第２の小容量タンク、第３の小容量タンクのごとく複数の小容量タンクにて貯水する方法において、第１の小容量タンクの上部に接続する取水ホース、第１の小容量タンクを除く他の小容量タンクの上部に取り付けられる空気孔ホース、及び各小容量タンク間に当該タンク上部よりタンク内底部付近までサイホン状に挿入した連結ホースを具備してなる雨水貯水方式。
【請求項２】
雨水取水継手の取り付け位置に対し、各小容量タンク間の連結ホースのサイホン状の頂上が低く、且つ、雨水取水継手の取り付け位置に対し、第１の小容量タンクを除く他の小容量タンクの上部に取り付けられる空気孔ホースの出口の位置が高いことを特徴とした請求項１の雨水貯水方式。
【請求項３】
底部に取水ホースと接続できる穴、又は筒が設けられたカップ状の取水器を、取水ホースを貫通するための穴を有する竪とい継手の内部に取り付けた構造の雨水取水継手を有する請求項１の雨水貯水方式。